(57)【要約】【課題】使用者が携帯端末を携帯していない場合に、この携帯端末の報知態様を切り替えることができる通信システムを提供すること。【解決手段】通信システム１００は、信号強度判定部１６３によりＩＤカード識別情報を含む無線信号の信号強度が閾値Ｓを超えると判定された場合、着信受付部１６１により受け付けた着信を報知部１８により第１の態様で報知し、信号強度判定部１６３によりＩＤカード識別情報を含む無線信号の信号強度が閾値Ｓを超えないと判定された場合、着信受付部１６１により受け付けた着信を報知部１８により第１の態様とは異なる第２の態様で報知する報知制御部１６４と、報知部１８により第２の態様で報知を行った場合、着信を発呼した外部機器に対して不在応答処理を行う不在応答処理部１６５と、を備える。【選択図】図２
2010239335.tif 000002
【特許請求の範囲】
【請求項１】
携帯端末とＩＤカードとが無線通信可能に接続される通信システムであって、
前記携帯端末は、
外部機器からの音声通話の着信を受け付ける着信受付部と、
前記着信受付部により受け付けられた前記着信に応じて、前記ＩＤカードの識別情報を要求する要求情報を生成する要求情報生成部と、
前記要求情報生成部により生成された前記要求情報を含む無線信号を前記ＩＤカードへ送信する端末送信部と、を備え、
前記ＩＤカードは、
前記ＩＤカードを識別するＩＤカード識別情報を記憶する記憶部と、
前記端末送信部から送信された前記要求情報を含む無線信号を受信するカード受信部と、
前記カード受信部により受信された前記無線信号に含まれる前記要求情報に応じて前記記憶部に記憶されるＩＤカード識別情報を読み出す識別情報読み出し部と、
前記識別情報読み出し部により読み出された前記ＩＤカード識別情報を含む無線信号を前記携帯端末へ送信するカード送信部と、を備え、
前記携帯端末は、
前記カード送信部から送信された前記ＩＤカード識別情報を含む無線信号を受信する端末受信部と、
前記端末受信部により受信された前記ＩＤカード識別情報を含む無線信号の信号強度が所定の閾値を超えるか否かを判定する信号強度判定部と、
所定の態様で報知を行う報知部と、
前記信号強度判定部により前記ＩＤカード識別情報を含む無線信号の信号強度が前記所定の閾値を超えると判定された場合、前記着信受付部により受け付けた前記着信を前記報知部により第１の態様で報知させ、前記信号強度判定部により前記ＩＤカード識別情報を含む無線信号の信号強度が前記所定の閾値を超えないと判定された場合、前記着信受付部により受け付けた前記着信を前記報知部により前記第１の態様とは異なる第２の態様で報知させる報知制御部と、
前記報知部により前記第２の態様で報知を行った場合、前記着信を発呼した前記外部機器に対して不在応答処理を行う不在応答処理部と、を備えることを特徴とする通信システム。
【請求項２】
前記端末送信部及び前記端末受信部は、
ＲＦＩＤリーダライタ部により構成され、
前記カード受信部及び前記カード送信部は、
前記ＲＦＩＤリーダライタ部と磁界通信を行う磁界通信部により構成されることを特徴とする請求項１に記載の通信システム。
【請求項３】
前記携帯端末の使用者が使用する情報処理装置を更に備え、
前記ＩＤカードは、前記情報処理装置の認証を行う認証部を有し、
前記所定の閾値は、前記情報処理装置が前記認証部により認証された状態での端末受信部により受信される前記ＩＤカード識別情報を含む無線信号の信号強度よりも小さい値であることを特徴とする請求項１又は２に記載の通信システム。
【発明の詳細な説明】
【技術分野】
【０００１】
本発明は、携帯端末とＩＤカードとを用いた通信システムに関する。
【背景技術】
【０００２】
近年、携帯端末の普及に伴い、携帯端末を各社員に支給し、支給された携帯端末を用いて、社員同士が連絡を取り合う企業や法人等が増加している。
【０００３】
一方で、セキュリティの観点から各社員にＩＤカードを貸与し、このＩＤカードにより社屋への入場及び退場の認証を行う企業や法人等も増加している。
【０００４】
そこで、社員に支給した携帯端末及び貸与したＩＤカードを用いて、当該社員によるＩＤカードの使用を許可する認証システムが提案されている（例えば、特許文献１参照）。
【先行技術文献】
【特許文献】
【０００５】
【特許文献１】特開２００１−３２５４３５号公報
【発明の概要】
【発明が解決しようとする課題】
【０００６】
ここで、社屋への入場及び退場時に必要となるＩＤカードは、各社員が自席から離れる際に携帯することを忘れにくいが、支給された携帯端末の携帯を忘れてしまう場合があった。その結果、携帯端末の使用者である社員に対して他の社員が電話を掛けた場合に、通話を開始するまでのコール待ち時間が長くなったり、使用者である社員以外の社員が代理で応答してしまい、使用者である社員と会話ができなかったりするという問題があった。
【０００７】
本発明は、使用者が携帯端末を携帯していない場合に、この携帯端末の報知態様を切り替えることができる通信システムを提供することを目的とする。
【課題を解決するための手段】
【０００８】
本発明の通信システムは、携帯端末とＩＤカードとが無線通信可能に接続される通信システムであって、前記携帯端末は、外部機器からの音声通話の着信を受け付ける着信受付部と、前記着信受付部により受け付けられた前記着信に応じて、前記ＩＤカードの識別情報を要求する要求情報を生成する要求情報生成部と、前記要求情報生成部により生成された前記要求情報を含む無線信号を前記ＩＤカードへ送信する端末送信部と、を備え、前記ＩＤカードは、前記ＩＤカードを識別するＩＤカード識別情報を記憶する記憶部と、前記端末送信部から送信された前記要求情報を含む無線信号を受信するカード受信部と、前記カード受信部により受信された前記無線信号に含まれる前記要求情報に応じて前記記憶部に記憶されるＩＤカード識別情報を読み出す識別情報読み出し部と、前記識別情報読み出し部により読み出された前記ＩＤカード識別情報を含む無線信号を前記携帯端末へ送信するカード送信部と、を備え、前記携帯端末は、前記カード送信部から送信された前記ＩＤカード識別情報を含む無線信号を受信する端末受信部と、前記端末受信部により受信された前記ＩＤカード識別情報を含む無線信号の信号強度が所定の閾値を超えるか否かを判定する信号強度判定部と、所定の態様で報知を行う報知部と、前記信号強度判定部により前記ＩＤカード識別情報を含む無線信号の信号強度が前記所定の閾値を超えると判定された場合、前記着信受付部により受け付けた前記着信を前記報知部により第１の態様で報知させ、前記信号強度判定部により前記ＩＤカード識別情報を含む無線信号の信号強度が前記所定の閾値を超えないと判定された場合、前記着信受付部により受け付けた前記着信を前記報知部により前記第１の態様とは異なる第２の態様で報知させる報知制御部と、前記報知部により前記第２の態様で報知を行った場合、前記着信を発呼した前記外部機器に対して不在応答処理を行う不在応答処理部と、を備えることを特徴とする。
【０００９】
この発明によれば、端末受信部により受信されたＩＤカード識別情報を含む無線信号の信号強度が所定の閾値を超えるか否かを判定する。そして、ＩＤカード識別情報を含む無線信号の信号強度が所定の閾値を超えると判定された場合、着信受付部により受け付けた着信を報知部により第１の態様で報知し、ＩＤカード識別情報を含む無線信号の信号強度が所定の閾値を超えないと判定された場合、着信受付部により受け付けた着信を報知部により第１の態様とは異なる第２の態様で報知する。そして、報知部により第２の態様で報知を行った場合、着信を発呼した外部機器に対して不在応答処理を行う。
【００１０】
このようにすることで、ＩＤカード識別情報を含む無線信号の信号強度が所定の閾値を超えると判定された場合には、携帯端末とＩＤカードとの距離が接近している。すなわち、使用者が携帯端末を携帯している状態である。一方、ＩＤカード識別情報を含む無線信号の信号強度が所定の閾値を超えないと判定された場合には、携帯端末とＩＤカードとの距離が離れている。すなわち、使用者が携帯端末を携帯していない状態であるので、第１の態様と異なる第２の態様で報知した後に不在応答処理を行う。
【００１１】
したがって、使用者及び使用者以外の社員は、使用者が携帯端末を携帯しているか否かを明確に認識することができる。また、使用者が携帯端末を携帯していない場合には、着信を発呼した外部機器に対して第２の態様で報知した後に不在応答処理を行うため、着信を発呼した者は、携帯端末の使用者が携帯端末を携帯していないことを明確に認識することができる。
【００１２】
また、前記端末送信部及び前記端末受信部は、ＲＦＩＤリーダライタ部により構成され、前記カード受信部及び前記カード送信部は、前記ＲＦＩＤリーダライタ部と磁界通信を行う磁界通信部により構成されることが好ましい。
【００１３】
この発明によれば、ＩＤカード内に電源を別途設けることなく、携帯端末と無線信号の送受信を行うことができる。また、ＲＦＩＤリーダライタ部と磁界通信部による磁界通信は、安価に製造できるため導入コストを低減することができる。
【００１４】
また、前記携帯端末の使用者が使用する情報処理装置を更に備え、前記ＩＤカードは、前記情報処理装置の認証を行う認証部を有し、前記所定の閾値は、前記情報処理装置が前記認証部により認証された状態での端末受信部により受信される前記ＩＤカード識別情報を含む無線信号の信号強度よりも小さい値であることが好ましい。
【００１５】
この発明によれば、携帯端末及びＩＤカードの使用者が携帯端末を携帯しているか否かを好適に判定することができる。
【発明の効果】
【００１６】
本発明によれば、使用者が携帯端末を携帯していない場合に、この携帯端末の報知態様を切り替えることができる通信システムを提供することができる。
【図面の簡単な説明】
【００１７】
【図１】本発明の通信システムの一実施形態である通信システム１００の全体構成を示す図である。
【図２】本実施形態の通信システム１００の機能構成を示すブロック図である。
【図３】本実施形態の通信システム１００の処理の流れを示すフローチャートである。
【発明を実施するための形態】
【００１８】
＜全体構成＞
以下、本発明の実施形態について図面を参照しながら説明する。図１は、本発明の通信システムの一実施形態である通信システム１００の全体構成を示す図である。図１に示すように、本実施形態の通信システム１００は、携帯端末１と、ＩＤカード２と、情報処理装置３と、認証装置３１と、を備える。
【００１９】
携帯端末１、ＩＤカード２及び情報処理装置３は、同一の使用者によって使用されている。また、情報処理装置３は、認証装置３１に接続される。情報処理装置３は、ＩＤカード２を認証装置３１と電気的に接続することによって情報処理装置３の使用者の認証を行う。なお、ＩＤカード２による情報処理装置３の認証については、後述する。
【００２０】
＜機能構成＞
図２は、本実施形態の通信システム１００の機能構成を示すブロック図である。図２に示すように、通信システム１００は、携帯端末１と、ＩＤカード２と、情報処理装置３と、を備える。先ず、携帯端末１の機能構成について説明する。携帯端末１は、通信部１１と、メモリ１２と、スピーカ１３と、ディスプレイ１４と、バイブレータ１５と、制御部１６と、ＲＦＩＤリーダライタ部１７と、を備える。
【００２１】
通信部１１は、アンテナ、通信処理回路等を含んで構成される。通信部１１は、外部機器から所定の周波数の信号を受信し、受信された信号の復調や復号化等の処理を行う。また、通信部１１は、制御部１６から供給される信号の符号化や変調等の処理を行い、処理後の信号を外部機器へ送信する。
【００２２】
メモリ１２は、不揮発性記憶媒体により構成され、各種データを記憶する。
スピーカ１３は、通信部１１によって処理された音声信号を制御部１６の制御に従って外部に出力する。
【００２３】
ディスプレイ１４は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）により構成され、制御部１６の制御に従って各種情報を表示する。
バイブレータ１５は、携帯端末１の内部に取り付けられ、制御部１６の制御に従って振動を発生させる。このバイブレータ１５が発生させる振動が携帯端末１の全体に伝達されることにより、携帯端末１は振動する。
【００２４】
スピーカ１３、ディスプレイ１４及びバイブレータ１５は、制御部１６の制御に従って所定の態様で報知を行う報知部として機能する。なお、以下の説明では、スピーカ１３、ディスプレイ１４及びバイブレータ１５を総称して報知部１８という。
【００２５】
制御部１６は、主にＣＰＵ（Ｃｅｎｔｒａｌ  Ｐｒｏｃｅｓｓｉｎｇ  Ｕｎｉｔ：中央処理装置）により構成され、携帯端末１の全体を制御する。
また、制御部１６は、着信受付部１６１と、要求情報生成部１６２と、信号強度判定部１６３と、報知制御部１６４と、不在応答処理部１６５と、を備える。
【００２６】
着信受付部１６１は、外部機器からの音声通話の着信を受け付ける。
要求情報生成部１６２は、着信受付部１６１により受け付けた着信に応じて、ＩＤカード２に固有の識別情報（以下、ＩＤカード識別情報という）を要求する要求情報を生成する。
【００２７】
信号強度判定部１６３は、端末受信部１７２により受信されたＩＤカード識別情報を含む無線信号の信号強度が閾値Ｓを超えるか否かを判定する。
【００２８】
報知制御部１６４は、信号強度判定部１６３によりＩＤカード識別情報を含む無線信号の信号強度が閾値Ｓを超えると判定された場合、着信受付部１６１により受け付けた着信を報知部１８により第１の態様で報知する。
【００２９】
ここで、第１の態様は、特に制限されないが、例えば、スピーカ１３から予め設定された音を出力する、ディスプレイ１４に予め設定された文字や画像を表示する、バイブレータ１５から予め設定された振動を出力する等である。
【００３０】
一方、報知制御部１６４は、信号強度判定部１６３によりＩＤカード識別情報を含む無線信号の信号強度が閾値Ｓを超えないと判定された場合、着信受付部１６１により受け付けた着信を報知部１８により第１の態様とは異なる第２の態様で報知する。
【００３１】
第２の態様は、第１の態様と異なる報知の態様であれば特に制限されないが、携帯端末１の使用者以外の者（他の社員等）が携帯端末１の使用者が不在であることを認識することができる態様であることが好ましい。例えば、第２の態様としては、第１の態様で報知を行う時間よりも短い時間で行われる報知が挙げられる。これにより、使用者以外の社員は、使用者が携帯端末１を携帯していないことを認識できる。
【００３２】
不在応答処理部１６５は、報知部１８により第２の態様で報知を行った場合、第２の態様での報知を終了し、着信を発呼した外部機器に対して不在応答処理を行う。不在応答処理とは、留守番電話処理、不在メッセージとして音声信号又は電子メールを送信する処理等である。これにより、着信を発呼した者は、使用者が携帯端末１を携帯していないことを認識できる。
【００３３】
ＲＦＩＤリーダライタ部１７は、アンテナ、通信処理回路を含んで構成される。ＲＦＩＤリーダライタ部１７は、ＩＤカードから無線信号を受信し、受信された無線信号の復調や復号化等の処理を行う。また、ＲＦＩＤリーダライタ部１７は、制御部１６から供給される信号の符号化や変調等の処理を行い、処理後の信号をＩＤカードへ送信する。
また、ＲＦＩＤリーダライタ部１７は、端末送信部１７１と、端末受信部１７２と、を備える。
【００３４】
端末送信部１７１は、要求情報生成部１６２により生成された要求情報に変調処理や符号化処理を行い、処理後の要求情報を含む無線信号をＩＤカード２へ送信する。
【００３５】
端末受信部１７２は、カード送信部２１２から送信されたＩＤカード識別情報を含む無線信号を受信する。そして、端末受信部１７２は、受信された無線信号の復調処理や復号化処理を行い、処理後の信号を制御部１６へ供給する。
【００３６】
次に、ＩＤカード２の機能構成について説明する。ＩＤカード２は、磁界通信部２１と、制御部２２と、記憶部としてのメモリ２３と、電源回路部２４と、を備える。
【００３７】
磁界通信部２１は、コイルアンテナと通信処理部とを含んで構成される。磁界通信部２１は、コイルアンテナとＲＦＩＤリーダライタ部１７との電磁誘導作用により発生した起電力に基づいて動作を行う。磁界通信部２１は、カード受信部２１１と、カード送信部２１２と、を備える。
【００３８】
カード受信部２１１は、端末送信部１７１から送信された要求情報を含む無線信号を受信する。そして、カード受信部２１１は、受信された要求情報を含む無線信号の復調処理を行い、処理後の信号を制御部２２へ供給する。
カード送信部２１２は、識別情報読み出し部２２１により読み出されたＩＤカード識別情報に変調処理を行い、処理後のＩＤカード識別情報を含む無線信号をＲＦＩＤリーダライタ部１７に送信する。
【００３９】
制御部２２は、ＣＰＵにより構成され、ＩＤカード２の全体を制御する。また、制御部２２は、識別情報読み出し部２２１と、認証部２２２と、を備える。
識別情報読み出し部２２１は、要求情報に応じてメモリ２３に記憶されるＩＤカード２のＩＤカード識別情報を読み出す。そして、識別情報読み出し部２２１は、読み出されたＩＤカード識別情報をカード送信部２１２に供給する。
【００４０】
認証部２２２は、情報処理装置３の認証を行う。具体的には、認証部２２２は、情報処理装置３の認証装置３１と電気的に接続されると、メモリ２３に記憶される情報処理装置３に固有の識別情報を読み出す。そして、認証部２２２は、読み出した情報処理装置３に固有の識別情報を、認証装置３１を介して情報処理装置３に送信する。
【００４１】
ここで、一般的に、無線信号は、送信先と受信先との距離が離れると、信号の強度が弱くなる。よって、端末受信部１７２により受信されたＩＤカード識別情報を含む無線信号の信号強度は、携帯端末１とＩＤカード２との間の距離に応じて変動する。
また、ＩＤカード２により情報処理装置３を認証している状態では、携帯端末１とＩＤカード２との距離は、一定範囲の距離を保っている。これは、ＩＤカード２により情報処理装置３を認証している状態では、使用者が情報処理装置３を使用する自席に在席しており、且つ、使用者が携帯端末１を携帯しているためである。
【００４２】
そして、ＩＤカード２により情報処理装置３を認証していない状態、すなわちＩＤカード２により情報処理装置３の認証を解除している状態では、携帯端末１とＩＤカード２との間の距離は、ＩＤカード２により情報処理装置３を認証している状態よりも離れている。よって、携帯端末１及びＩＤカード２を使用する使用者は、情報処理装置３を使用する自席から離席している。
そこで、信号強度判定部１６３において、閾値Ｓは、携帯端末１及びＩＤカード２を使用する使用者が情報処理装置３を使用する自席に在席している状態、すなわち認証部２２２により情報処理装置３が認証された状態での端末受信部１７２により受信されるＩＤカード識別情報の信号強度よりも小さい値に設定される。
【００４３】
メモリ２３は、不揮発性記憶媒体により構成され、ＩＤカード２に固有のＩＤカード識別情報、情報処理装置３に固有の識別情報（以下、情報処理装置識別情報という）等を記憶している。
電源回路部２４は、磁界通信部２１により受信した無線信号（電磁波）を電圧に変換し、変換された電圧をＩＤカード２の各部へ供給する。
【００４４】
次に、情報処理装置３及び認証装置３１の機能構成について説明する。
認証装置３１は、ＩＤカード２と電気的に接続し、ＩＤカード２から供給される信号を制御部３３へ送信する。
情報処理装置３は、認証装置３１、記憶部３２と、制御部３３と、を備える。
【００４５】
記憶部３２は、不揮発性記憶媒体や磁気ディスク等で構成され、情報処理装置３に固有の識別情報を記憶する。
【００４６】
制御部３３は、主にＣＰＵによって構成され、認証判定部３３１と、使用許可部３３２と、を備える。
認証判定部３３１は、ＩＤカード２の認証部２２２から送信された情報処理装置３に固有の識別情報である情報処理装置識別情報を受け付ける。そして、認証判定部３３１は、受け付けた情報処理装置識別情報と、記憶部３２に記憶される情報処理装置識別情報とが一致するか否かを判定する。
使用許可部３３２は、認証判定部３３１により受け付けた情報処理装置識別情報と、記憶部３２に記憶される情報処理装置識別情報とが一致すると判定された場合には、情報処理装置３の使用を許可する。一方、使用許可部３３２は、認証判定部３３１により受け付けた情報処理装置識別情報と、記憶部３２に記憶される情報処理装置識別情報とが一致しないと判定された場合には、情報処理装置３の使用を許可しない。
【００４７】
＜処理の流れ＞
次に、本実施形態の通信システム１００の処理の流れについて説明する。図３は、本実施形態の通信システム１００の処理の流れを示すフローチャートである。
【００４８】
ステップＳ１において、着信受付部１６１は、外部機器からの音声通話の着信を受け付ける。
ステップＳ２において、要求情報生成部１６２は、着信受付部１６１により着信が受け付けられると、ＩＤカード識別情報を要求する要求情報を生成する。
【００４９】
ステップＳ３において、端末送信部１７１は、要求情報生成部１６２により生成された要求情報に変調処理や符号化処理を行い、処理後の要求情報を含む無線信号をＩＤカード２に送信する。
ステップＳ４において、カード受信部２１１は、端末送信部１７１から送信された要求情報を含む無線信号を受信する。そして、カード受信部２１１は、受信された要求情報を含む無線信号の復調処理を行い、処理後の信号を制御部２２へ供給する。
【００５０】
ステップＳ５において、識別情報読み出し部２２１は、要求情報に応じてメモリ２３に記憶されるＩＤカード識別情報を読み出す。そして、識別情報読み出し部２２１は、読み出されたＩＤカード識別情報をカード送信部２１２に供給する。
ステップＳ６において、カード送信部２１２は、識別情報読み出し部２２１により読み出されたＩＤカード識別情報に変調処理を行い、処理後のＩＤカード識別情報を含む無線信号をＲＦＩＤリーダライタ部１７に送信する。
【００５１】
ステップＳ７において、端末受信部１７２は、カード送信部２１２から送信された応答情報を含む無線信号を受信する。そして、端末受信部１７２は、受信された無線信号の復調処理や復号化処理を行い、処理後の信号を制御部１６へ供給する。
ステップＳ８において、信号強度判定部１６３は、端末受信部１７２により受信された応答情報を含む無線信号の信号強度が閾値Ｓを超えるか否かを判定する。閾値Ｓを超える場合（Ｙｅｓ）には、ステップＳ９へ移る。一方、閾値Ｓを超えない場合（Ｎｏ）には、ステップＳ１０へ移る。なお、信号強度判定部１６３は、端末受信部１７２により応答情報を含む無線信号を一定期間内に受信できない場合も閾値Ｓを超えないと判定する。
【００５２】
ステップＳ９において、報知制御部１６４は、信号強度判定部１６３により応答情報を含む無線信号の信号強度が閾値Ｓを超えると判定された場合、着信受付部１６１により受け付けた着信を報知部１８により第１の態様で報知する。
ステップＳ１０において、報知制御部１６４は、信号強度判定部１６３により応答情報を含む無線信号の信号強度が閾値Ｓを超えないと判定された場合、着信受付部１６１により受け付けた着信を報知部１８により第１の態様とは異なる第２の態様で報知する。
【００５３】
ステップＳ１１において、報知部１８により第２の態様で報知を行った場合、着信を発呼した外部機器に対して不在応答処理を行う。
【００５４】
このように本実施形態の通信システム１００によれば、信号強度判定部１６３によりＩＤカード識別情報を含む無線信号の信号強度が閾値Ｓを超えると判定された場合、着信受付部１６１により受け付けた着信を報知部１８により第１の態様で報知し、信号強度判定部１６３によりＩＤカード識別情報を含む無線信号の信号強度が閾値Ｓを超えないと判定された場合、着信受付部１６１により受け付けた着信を報知部１８により第１の態様とは異なる第２の態様で報知する報知制御部１６４と、報知部１８により第２の態様で報知を行った場合、着信を発呼した外部機器に対して不在応答処理を行う不在応答処理部１６５と、を備える。
【００５５】
このようにすることで、ＩＤカード識別情報を含む無線信号の信号強度が閾値Ｓを超えると判定された場合には、携帯端末１とＩＤカード２との距離が接近している。すなわち、使用者が携帯端末１を携帯している状態である。一方、ＩＤカード識別情報を含む無線信号の信号強度が閾値Ｓを超えないと判定された場合には、携帯端末１とＩＤカード２との距離が離れている。すなわち、使用者が携帯端末１を携帯していない状態であるので、第１の態様と異なる第２の態様で報知した後に不在応答処理を行う。
【００５６】
したがって、使用者及び使用者以外の社員は、使用者が携帯端末１を携帯しているか否かを明確に認識することができる。また、使用者が携帯端末１を携帯していない場合には、着信を発呼した外部機器に対して第２の態様で報知した後に不在応答処理を行うため、着信を発呼した者は、携帯端末１の使用者が携帯端末１を携帯していないことを明確に認識することができる。
【００５７】
また、本実施形態の通信システム１００によれば、端末送信部１７１及び端末受信部１７２は、ＲＦＩＤリーダライタ部１７により構成され、カード受信部２１１及びカード送信部２１２は、ＲＦＩＤリーダライタ部１７と磁界通信を行う磁界通信部２１により構成される。
【００５８】
これにより、ＩＤカード２内に電源を別途設けることなく、携帯端末１と無線信号の送受信を行うことができる。また、ＲＦＩＤリーダライタ部１７部と磁界通信部２１は、安価に製造できるため導入コストを低減することができる。
【００５９】
また、本実施形態の通信システム１００によれば、閾値Ｓは、情報処理装置３が認証部２２２により認証された状態での端末受信部１７２により受信されるＩＤカード識別情報を含む無線信号の信号強度よりも小さい値である。したがって、携帯端末１の使用者が携帯端末１を携帯しているか否かを好適に判定することができる。
【００６０】
以上、本発明の一実施形態について説明したが、本発明は前述した実施形態に制限されるものではなく、適宜変更が可能である。例えば、携帯端末１の制御部１６に閾値を設定する設定部を設け、この設定部により携帯端末１及びＩＤカード２の使用者の操作により閾値を設定できるように構成してもよい。これにより、より好適に携帯端末１及びＩＤカード２の使用者が自席に不在であることを判定することができる。
【００６１】
また、本発明の実施形態に記載された効果は、本発明から生じる最も好適な効果を列挙したに過ぎず、本発明による効果は、本発明の実施形態に記載されたものに限定されるものではない。
【符号の説明】
【００６２】
１  携帯端末
２  ＩＤカード
３  情報処理装置
１８  報知部
２３  メモリ
３１  認証装置
１００  通信システム
１６１  着信受付部
１６２  要求情報生成部
１６３  信号強度判定部
１６４  報知制御部
１６５  不在応答処理部
１７１  端末送信部
１７２  端末受信部
２１１  カード受信部
２１２  カード送信部
２２１  識別情報読み出し部
２２２  認証部
【図１】
2010239335.tif 000003
【図２】
2010239335.tif 000004
【図３】
2010239335.tif 000005